(57)【要約】【課題】作業時間を増大させることなく、データの通信が可能な給水装置及び給水システムを提供すること。【解決手段】給水装置１は、受水槽Ｉから分岐された接続管５に接続され、ポンプユニット１１及びＵＳＢポート２８ａを有する制御盤１２を有するポンプ装置１０と、ＵＳＢポート２８ａを有する通信装置４０とを備え、制御盤１２と通信装置４０とをＵＳＢケーブルＲにより接続することで、ＵＳＢケーブルＲを介してデータの通信が可能に形成されている。【選択図】図１
2009144621.tif 000002
【特許請求の範囲】
【請求項１】
モータにより駆動されるポンプと、
このポンプの吐出管上に設けられた圧力検出器と、
ＵＳＢポート、及び、前記モータを制御する制御指示を記憶する記憶部を有し、前記記憶部に記憶された制御指示及び前記圧力検出器により検出された圧力に基いて前記モータを制御する制御回路部と、
前記ＵＳＢポートに接続され、前記モータの制御指示を入力する通信装置と、を備えることを特徴とする給水装置。
【請求項２】
前記通信装置及び前記制御回路部は、前記ＵＳＢポートを介して接続することにより、前記モータの制御指示を前記制御回路部へ送信可能な通信機能を有していることを特徴とする請求項１に記載の給水装置。
【請求項３】
前記通信装置は、さらに前記モータの制御情報を受信可能に形成されていることを特徴とする請求項２に記載の給水装置。
【請求項４】
前記通信装置は、前記ＵＳＢポートに接続可能に形成されたフラッシュメモリ、ハードディスク、ノートＰＣ、携帯端末及び携帯電話のいずれか一であることを特徴とする請求項２に記載の給水装置。
【請求項５】
前記通信装置及び前記制御回路部の少なくとも一方は、プラグアンドプレイ機能を有し、
前記通信装置又は前記制御回路部は、前記制御回路部の前記ＵＳＢポートに前記通信装置を接続させることで前記通信装置に記憶された前記モータの制御指示を自動的に前記制御回路部へ送信する通信機能を有していることを特徴とする請求項４に記載の給水装置。
【請求項６】
前記モータ及び前記ポンプを複数備えることを特徴とする請求項１に記載の給水装置。
【請求項７】
モータにより駆動されるポンプと、
このポンプの吐出管上に設けられた圧力検出器と、
少なくとも前記モータを制御する制御指示を記憶した通信装置が接続されるＵＳＢポート、及び、前記制御指示を記憶する前記記憶部を有し、前記記憶部に記憶された制御指示及び前記圧力検出器により検出された圧力に基いて前記モータを制御する制御回路部と、を備えることを特徴とする給水装置。
【発明の詳細な説明】
【技術分野】
【０００１】
本発明は、水の供給量を制御可能な給水装置に関し、特にＵＳＢポートを用いて通信が可能なものに関する。
【背景技術】
【０００２】
建造物へポンプを用いて水を供給する給水装置は、給水量等の制御をポンプの下流に設けた圧力検出器の検出結果に基いて、予め設定しておいた運転制御に基いて、制御回路を有する制御盤がモータの回転数をインバータ制御するものが知られている。
【０００３】
このような給水装置を用いた場合、予め、作業員が建造物毎に使用圧力（給水量）を設定し、その設定値に近づくように、制御回路がモータの回転数を制御することで、給水装置が運転される。
【０００４】
また、このような給水装置は、運転状況や故障等の報知手段として、ユニットの制御盤の盤面に設けられた表示部に表示させる機能や、外部に設けられた表示装置等の機器に信号を出力する機能を有するものが知られている。
【０００５】
作業員は、このような報知手段から運転状況や故障等を確認することにより、給水装置を点検するとともに、必要に応じて運転条件の再設定等を行ない、給水装置の復旧等を行なう。しかし、このような給水装置では、作業員が給水装置の近くまで移動して点検及び再設定等を行う必要があった。
【０００６】
また、給水対象設備の増減や、季節的な給水量の変化に対応するため、給水装置の運転制御の情報等を外部と送受信する必要がある。さらに、技術革新により、より良い給水制御が開発された際には、制御盤内部に設けられた記憶部に運転制御を行なうソフトウェアのダウンロード（以下「ＤＬ」）を新たに行い、ソフトウェアの更新を行う必要もある。
【０００７】
そこで、給水装置の制御盤に制御盤と２本の配線で接続された着脱可能なリモートコントローラと、遠方で監視可能な表示装置とを備えた給水装置が知られている（例えば特許文献１参照）。
【特許文献１】特開平０９−１３３０８０号公報
【発明の開示】
【発明が解決しようとする課題】
【０００８】
上述したような給水装置では次のような問題があった。即ち、上述した２本の配線で接続されたリモートコントローラを有する給水装置では、給水装置の運転制御の情報や、運転制御を行なうソフトウェアの通信（送受信）は可能であっても、そのデータ量の多さから、通信速度が遅くなってしまうという問題があった。とくに、ソフトウェアのデータ量によっては、ＤＬに数十分から数時間かかる虞もある。このように、データの通信時においては、給水装置を使用することが出来ないため、断水状態とする必要があった。また、ソフトウェアのＤＬ中は、ソフトウェアが正常にＤＬ出来たか否かのチェックも必要となるため、作業員がＤＬ時に給水装置の付近にいてＤＬ状態を確認する必要があり、作業時間の増大となる虞もあった。
【０００９】
そこで本発明は、水の供給量を制御可能な給水装置であって、特に、外部とのデータの通信に汎用性を有するとともに、作業時間を増大させることなく外部との通信が可能な給水装置を提供することを目的としている。
【課題を解決するための手段】
【００１０】
前記課題を解決し目的を達成するために、本発明の給水装置は次のように構成されている。
【００１１】
モータにより駆動されるポンプと、このポンプの吐出管上に設けられた圧力検出器と、ＵＳＢポート、及び、前記モータを制御する制御指示を記憶する記憶部を有し、前記記憶部に記憶された制御指示及び前記圧力検出器により検出された圧力に基いて前記モータを制御する制御回路部と、前記ＵＳＢポートに接続され、前記モータの制御指示を入力する通信装置と、を備えることを特徴とする。
【発明の効果】
【００１２】
本発明によれば、水の供給量を制御可能な給水装置であって、外部とのデータの通信に汎用性を有するとともに、作業時間を増大させることなく外部との通信が可能な、水の供給量を制御可能な給水装置を提供することが可能となる。
【発明を実施するための最良の形態】
【００１３】
以下、本発明の第１の実施の形態に係る給水装置１を図１、２を用いて説明する。図１は本発明の第１の実施の形態に係る給水装置１の構成を示す説明図、図２は同給水装置１に用いられるポンプ装置１０及び通信装置４０の構成を示す説明図である。なお、図１、２中Ｅは地面、Ｆは水の流れ方向、Ｇは建造物、Ｉは受水槽、ＲはＵＳＢケーブル、Ｓは信号線、Ｔは給水口をそれぞれ示している。
【００１４】
図１、２に示すように、給水装置１は、例えば受水槽Ｉに接続された接続管５と、接続管５に接続されたポンプ装置１０と、ポンプ装置１０の下流に給水配管６を介して設けられ、建造物Ｇに配設された蛇口等の各給水口Ｔと、前記ポンプ装置１０と通信可能に形成された通信装置４０とを備えている。
【００１５】
ポンプ装置１０は、接続管５に接続されたポンプユニット１１と、このポンプユニット１１に信号線Ｓにより接続された制御盤（制御回路部）１２と、を備えている。また、例えばポンプ装置１０は、建造物Ｇの地下に設けられたポンプ室１３に設けられている。
【００１６】
ポンプユニット１１は、その上流側が受水槽Ｉに接続管５を介して接続され、下流側に給水配管６を介して接続されている。また、ポンプユニット１１は、上流側から、モータ１６が回転軸１７を介して接続されたポンプ１８、流量検出器１９、逆止弁２０、圧力検出器２１、及び、アキュムレータ２２が順次接続されている。なお、モータ１６、流量検出器１９及び圧力検出器２１は、制御盤１２に信号線Ｓを介して接続されており、流量検出器１９及び圧力検出器２１の検出結果に基づいて制御盤１２により制御可能に形成されている。なお、流量検出器１９を有さずに、圧力検出器２１のみを設け、圧力検出器２１により検出された圧力に基いて、ポンプユニット１１を制御する構成としてもよい。
【００１７】
制御盤１２は、制御部２５を備えている。また、制御盤１２は、インバータ２６、表示部２７、ＵＳＢＩ／Ｆ（Ｉｎｔｅｒ  Ｆａｃｅ）２８、入力部２９を備えており、制御部２５にそれぞれ接続されている。インバータ２６は、流量検出器１９及び圧力検出器２１の検出結果に基づいた制御部２５の指示により、モータ１６を制御可能に形成されている。表示部２７は、ポンプユニット１１の運転状況やエラー等を表示可能に形成されている。入力部２９は、ポンプユニット１１の運転指示が入力可能に形成されている。
【００１８】
制御部２５は、インバータ２６の制御等を行なう各種プログラム及び制御データ等が記憶される記憶部と、この記憶部に記憶された各種プログラム及び制御データ等を制御及び演算する処理部を有している。なお、これら記憶された各種プログラム及び制御データ等の書換を可能に、制御部２５の記憶部が形成されている。なお、制御部２５に記憶されたプログラム及び制御データとして、インバータ２６の制御を行なう制御プログラムと、この制御プログラムを用いてインバータ２６を制御することで、ポンプ１８からの吐出圧力及び吐出流量を制御する制御設定値等がある。また、制御部２５は、制御設定値を通信装置４０により、変更指示のあった制御設定値に変更するプログラム（変更プログラム）も備えている。この変更プログラムは、例えば、通信装置４０に変更する制御設定値を入力する欄を表示させ、この欄に設定値を入力することで、通信装置４０から制御部２５の制御設定値を変更するものである。
【００１９】
ＵＳＢＩ／Ｆ２８は、ポンプ装置１０の情報を、通信装置４０とＵＳＢケーブルＲを介して接続可能なＩ／Ｏ（Ｉｎ／Ｏｕｔ）ポートであるＵＳＢポート２８ａを備えている。このＵＳＢポート２８ａは、例えばＵＳＢ２．０の規格により形成されており、通信速度変換機能を有している。なお、ＵＳＢ２．０の規格でなくとも、例えば、通信速度（転送速度）が４００Ｍｂｐｓ等の高速転送可能なものを超えるものであれば良く、ＵＳＢ３．０やＷｉｒｅｌｅｓｓ  ＵＳＢ等を用いてもよい。高速転送の基準としては、例えば、ＵＳＢ２．０規格の転送速度を高速転送速度とする。
【００２０】
ＵＳＢＩ／Ｆ２８は、ＵＳＢポート２８ａにＵＳＢケーブルＲが接続された際に、制御部２５へと、その情報が送信され、自動的に設定が行なわれる、所謂プラグアンドプレイ（Ｐｌｕｇ  ａｎｄ  Ｐｌａｙ）の機能を有している。
【００２１】
ＵＳＢポート２８ａは、ＵＳＢケーブルＲに設けられたＡ端子及びＢ端子のいずれかに対応したＡ又はＢソケットが形成されている。なお、ソケットではなく端子であってもよいが、通信装置４０がパーソナルコンピュータ等を用いるためホスト側となることから、デバイス側となる制御部２５のＵＳＢポート２８ａは、例えばＢソケットが望ましい。なお、Ａ端子、Ｂ端子、及びＡソケットでもよい。
【００２２】
通信装置４０は、例えば建造物Ｇ内部のメンテナンス室や守衛室等に配置され、例えばパーソナルコンピュータ等が用いられる。通信装置４０は、制御部として例えばＣＰＵ（Central Processing Unit）４１を搭載している。また、内部記憶装置であり制御プログラム記憶用のＲＯＭ（Read Only Memory）４２と、データ記憶用のＲＡＭ（Random Access Memory）４３と、外部記憶装置であり多数のデータファイルが格納されたＨＤＤ（Hard Disk Drive）４４と、各情報を出力するディスプレイ等で形成された表示部４５と、外部情報や指示を入力するキーボードやマウス等で形成された入力部４６と、ＵＳＢＩ／Ｆ４７とを備えている。これら構成品は、ＰＣＩバス等のバスライン４８によりＣＰＵ４１にそれぞれ接続されている。
【００２３】
ＲＡＭ４３には、制御盤１２の制御部２５に記録されている制御プログラム、制御設定値、及び、流量検出器１９と圧力検出器２１との検出結果に基いて制御設定値を変更可能な変更プログラム等のデータが記憶されている。なお、これらデータは、通信装置４０での起動が可能に記憶されているとともに、制御部２５へ送信可能に形成されている。
【００２４】
ＵＳＢＩ／Ｆ４７には、ＵＳＢポート４７ａを複数有している。このＵＳＢポート４７ａは、通信装置４０がホスト側となるため、Ａポートにより形成されている。このＵＳＢポート４７ａは、ＵＳＢポート２８ａと、ＵＳＢケーブルＲにより接続されている。
【００２５】
なお、ＵＳＢケーブルＲは、ＵＳＢケーブルＲの端子が、接続するＵＳＢポート２８ａ及びＵＳＢポート４７ａに接続可能に形成され、ＵＳＢ２．０で規格されたケーブルであればよい。
【００２６】
このように構成された給水装置１において、給水装置１の通常動作時の説明を行なう。給水装置１の通常動作では、まず、給水装置１の主電源がＯＮとなると、モータ１６及び制御盤１２に電力が供給される。制御盤１２の制御部２５は、予め制御部２５に設定されたモータ１６の運転制御の情報（制御設定値）をインバータ２６に指示する。インバータ２６は、この指示に基づいて、信号線Ｓによりモータ１６を運転（回転）させる。
【００２７】
モータ１６が回転すると、回転軸１７を介してポンプ１８が回転（作動）することとなる。ポンプ１８が回転すると、接続管５内部を流れる水がポンプ１８により増圧されるとともに、ポンプ１８の吐出口から吐出され、建造物Ｇの各給水口Ｔに給水されることとなる。このため、各給水口Ｔをいずれか開とすると、水が給水口Ｔから吐出される。
【００２８】
なお、ポンプ１８から吐出された水は、流量検出器１９、逆止弁２０及び圧力検出器２１を介して建造物Ｇへ給水されるとともに、アキュムレータ２２に蓄圧されることとなる。
【００２９】
このとき流量検出器１９及び圧力検出器２１は、常時、ポンプ１８からの吐出圧力（及び流量）を検出し、この検出結果（圧力及び流量）を信号線Ｓを介して制御部２５へ送信する。制御部２５は、信号線Ｓから受信した検出結果と、制御部２５に予め設定してある運転制御に対するポンプ１８の吐出圧力（吐出流量）の制御値（制御設定値）とを比較し、検出結果が制御値と近似するようにインバータ２６にモータ１６の制御指示を与える。このように、ポンプ１８の吐出圧力（吐出流量）が一定となるように、制御部２５はポンプユニット１１を制御する。
【００３０】
また、制御部２５は、受信した検出結果及び制御設定値をＵＳＢＩ／Ｆ２８のＵＳＢポート２８ａから、ＵＳＢケーブルＲにより通信装置４０のＵＳＢＩ／Ｆ４７へと送信する。通信装置４０のＣＰＵ４１は、ＵＳＢＩ／Ｆ４７で受信した検出結果をＲＡＭ４３（又はＨＤＤ４４）で記憶させるとともに、表示部４５で、これら検出結果を表示させる。
【００３１】
例えば、定期点検時等においては、作業員が、通信装置４０の表示部４５に表示された検出結果を目視確認することで、現在のポンプ装置１０の作動確認を行なう。このように、制御部２５と通信装置４０とは、互いに通信可能な通信機能を有している。
【００３２】
次に、作業員が、建造物Ｇでの水の使用量に対し、給水装置１の給水量が足りない場合等による給水装置１の吐出圧力（吐出流量）の変更や、各配管内の圧力低下等により制御部２５の設定値、即ち制御設定値の変更を行なう場合について説明する。
【００３３】
まず、上述にもあるように、表示部４５に表示された流量検出器１９及び圧力検出器２１による検出結果を作業員は確認する。この確認時に、吐出圧力（吐出流量）が不足（又は過多）している場合には、作業員は、通信装置４０の入力部４６からＲＡＭ４３に記憶されている制御設定値の変更プログラムを起動させる指示を入力する。この入力により、ＣＰＵ４１は、ＲＡＭ４３から変更プログラムを起動させ、この起動させた変更プログラムを表示部４５に表示させる。
【００３４】
作業員は、表示された変更プログラムの、制御設定値の変更値を入力する欄に、制御設定値の変更値のデータを入力する。ＣＰＵ４１は、このデータをＲＡＭ４３（又はＨＤＤ４４）に記憶させるとともに、データをＵＳＢＩ／Ｆ４７からＵＳＢケーブルＲを介して制御盤１２のＵＳＢＩ／Ｆ２８へ送信させる。
【００３５】
制御部２５は、ＵＳＢＩ／Ｆ２８で変更した制御設定値のデータを受信すると、この制御設定値を変更プログラムに基いて制御部２５に記憶させるとともに、制御設定値に基いてインバータ２６へ制御指示を行なう。インバータ２６は、この制御設定値を基に、モータ１６を制御する。
【００３６】
このとき、制御盤１２と通信装置４０とは、ＵＳＢケーブルＲにより接続されているため、ＵＳＢＩ／Ｆ４７とＵＳＢＩ／Ｆ２８との間に距離が設けられていてもデータが通信されることとなる。
【００３７】
次に、インバータ２６の制御プログラムを変更する場合について説明する。なお、このようなインバータ２６の制御プログラムの変更は、給水対象設備の増減や、季節的な給水量の変化に対応させる場合や、技術革新等による、より良い給水制御が開発された場合等に行なわれる。なお、制御プログラムはインバータ２６の制御を行なうソフトウェアであり、この制御プログラムに制御設定値を設定することで、制御設定値に近似するように、制御プログラムに基いてインバータ２６の制御がなされる。
【００３８】
まず、作業者は、通信装置４０から、例えばＣＤ−ＲＯＭの記録媒体や通信装置４０に記録された新たな（変更する）インバータ２６の制御プログラムを起動し、制御プログラムのＤＬ画面を表示させる。なお、記録媒体ではなく、インターネット等のネットワークを介して通信装置４０の表示部４５に、表示させてもよい。
【００３９】
次に、作業者は、制御盤１２に制御プログラムをＤＬさせる指示をＣＰＵ４１に与える。この指示に基いてＣＰＵ４１は、ＤＬ処理を行い、ＵＳＢＩ／Ｆ４７からＵＳＢケーブルＲを介してＵＳＢＩ／Ｆ２８を介して通信することで、制御プログラムのデータの転送、及び、ＤＬ処理の指示を制御部２５にデータ転送を行なう。
【００４０】
制御部２５は、予め記憶されていた制御プログラムを削除（又は上書き）することで、ＣＰＵ４１から転送された制御プログラムのデータを保存する。これ以降、新たに書換えられた制御プログラムに基いてインバータ２６が制御されることとなる。
【００４１】
このような構成の給水装置１とすることで、インバータ２６の制御設定値及び制御プログラム等のデータは、ＵＳＢＩ／Ｆ２８、４７によりＵＳＢケーブルＲを介して通信され、制御盤１２に指示を与えることが可能となる。このため、作業者がポンプ装置１０を直接設定する必要がなくなり、このような遠隔操作により、作業時間の短縮及び作業性の向上となる。
【００４２】
また、ＵＳＢ２．０規格等の高速転送（通信）が可能なＵＳＢケーブルＲ及びＵＳＢポート２８ａ、４７ａを用いて通信を行なうことで、遠距離通信であっても、ＵＳＢＩ／Ｆ２８、４７を介して通信が可能となり、作業性の向上となる。特に、インバータ２６の制御プログラム等は、その性質上、容量が大きいため、通信量が多く、通信速度が遅いケーブル等を用いると、通信時間が長く必要となる。
【００４３】
主として、このような制御プログラムのＤＬ等を行なっている際には、誤作動等を防止するために、インバータ２６によるモータ１６の制御を行なわない、所謂停止状態にて行なうこととなる。即ち、制御プログラムの書換時においては、ポンプ装置１０の運転は停止させておく必要があるため、断水状態となる。このような断水状態が長く続くと、使用者の不満を増大させる虞がある。このため、ＵＳＢ２．０規格相当の転送速度を有するＵＳＢＩ／Ｆ２８、４７及びＵＳＢケーブルＲを用いることで、通信速度が向上し、ＤＬに際する時間を低減することが可能となる。
【００４４】
また、ＵＳＢ２．０規格相当のＵＳＢケーブルＲを用いることで、通常のケーブルでは、複数必要なものであっても、一本のＵＳＢでよく、ケーブルの取り回しも容易となる。また、既製品を用いることも可能となるため、汎用性を向上させることも可能となる。これにより、既製品を用いることも可能となり、また、一般的に使われている規格品であるため、製品製造にかかるコストも低減することが可能となる。
【００４５】
とくに、給水装置１は、ポンプ装置１０が建造物Ｇの地下に、通信装置４０が建造物Ｇ内に配置されることが多く、例えば外部環境（台風、凍結、干渉等）により、ＵＳＢケーブルＲが万が一断線した場合であっても、規制品のＵＳＢケーブルＲを、ＵＳＢポート２８ａ、４７ａに接続するだけで、交換可能となり、メンテナンス性も向上する。
【００４６】
さらに、ＵＳＢケーブルＲの長さ、又は、ＵＳＢハブポートやジョイント等を用いることにより、ＵＳＢケーブルＲにより接続する距離だけ、ポンプ装置１０と通信装置４０とが離間していてもよい。このため、遠距離であってもポンプ装置１０と通信装置４０とが、高速で情報の通信が可能となる。
【００４７】
上述したように、本発明の給水装置１とすることで、ＵＳＢＩ／Ｆ２８、４７により、制御盤１２と通信装置４０とを通信可能となり、データ容量の大きい情報であっても短時間でデータ通信が可能となり、作業性の向上及び作業時間の短縮とすることが可能となる。また、既存の規格であるＵＳＢポート２８ａ、４７ａ、及び、ＵＳＢケーブルＲを用いることで、汎用性、メンテナンス性の向上が可能となり、製造コスト、維持コストの低減にもなる。
【００４８】
次に、図３を用いて給水装置１の変形例に係る給水装置１Ａを説明する。図３は本発明の変形例に係る給水装置１Ａの構成を示す説明図である。なお、図３において図１，２と同一機能部分には同一符号を付し、その詳細な説明は省略する。
【００４９】
図３に示すように、給水装置１Ａは、受水槽Ｉに接続管５を介して接続されたポンプ装置１０Ａを備えている。  
ポンプ装置１０Ａは、第１ポンプユニット１１ａ及び第２ポンプユニット１１ｂを有するポンプユニットＡと、接続管５を例えば２方向に分岐する分岐部７と、この分岐部７により分岐された一方の配管８ａ及び他方の配管８ｂとをその内部に配置させている。
【００５０】
第１ポンプユニット１１ａ及び第２ポンプユニット１１ｂは、一方の配管８ａ及び他方の配管８ｂに接続され、モータ１６が回転軸１７を介して接続されたポンプ１８と、流量検出器１９と、逆止弁２０とがそれぞれ順次接続されている。
【００５１】
ポンプユニット１１Ａは、第１ポンプユニット１１ａ及び第２ポンプユニット１１ｂのそれぞれの逆止弁２０の下流で配管が合流する合流部９を備えており、この合流部９の下流側には圧力検出器２１及びアキュムレータ２２を備えている。
【００５２】
なお、各モータ１６、各流量検出器１９及び圧力検出器２１はインバータ２６に信号線Ｓを介して接続されている。
【００５３】
このように構成された給水装置１Ａでは、通常運転時においては、インバータ２６によりポンプユニット１１Ａが制御されるとともに、例えば、夜間運転においては、第１、第２ポンプユニット１１ａ、１１ｂのどちらか一方を運転させる。例えば、夜間の使用水量が低減した場合には、圧力検出器２１及び流量検出器１９の検出結果を基に制御部２５は、第１ポンプユニット１１ａ又は第２ポンプユニット１１ｂのどちらか一方を運転（片側運転）させるとともに、他方の運転を停止させる。また、検出結果により、吐出圧力（吐出流量）が片側運転では不足していると判断した場合には、制御部２５は、インバータ２６に指示を与え、第１ポンプユニット１１ａ及び第２ポンプユニット１１ｂにより両側運転を行なう。
【００５４】
なお、上述した給水装置１と同様に、作業者は、これらの情報を見ながら、ＲＡＭ４３に記憶されたプログラムを介して、ＵＳＢケーブルＲをＵＳＢＩ／Ｆ２８，４７に接続することにより行い、制御設定値や制御プログラム等の情報を通信することが可能となる。
【００５５】
このように本願発明の給水装置１Ａによれば、上述した給水装置１と同様の効果が得られるとともに、さらに、第１ポンプユニット１１ａ又は第２ポンプユニット１１ｂのいずれか一方の運転も可能となる。これにより、必要な給水量によって、第１ポンプユニット１１ａ及び第２ポンプユニット１１ｂのどちらか一方の片側運転や、第１ポンプユニット１１ａ又は第２ポンプユニット１１ｂのどちらか一方が故障した際に、断水させることなく給水が可能となる。ポンプユニット１１Ａの片側交互運転により、例えば夜間等の給水量が必要のない場合等には、どちらか一方を運転させることで、消費電力等の低減とすることが可能となる。また、第１ポンプユニット１１ａ又は第２ポンプユニット１１ｂのどちらか一方故障しても給水が可能となり、信頼性の向上にもなる。
【００５６】
次に、図４、５を用いて本発明の第２の実施の形態に係る給水装置１Ｂの説明を行なう。
【００５７】
図４は本発明の第２の実施の形態に係る給水装置１Ｂの構成を示す説明図である。なお、図４において図１〜３と同一機能部分には同一符号を付し、その詳細な説明は省略する。図４，５中Ｈは作業員を示している。
【００５８】
図４に示すように、給水装置１Ｂは、水道本管から分岐された分岐管や受水槽Ｉ等に接続管５を介して接続されたポンプ装置１０と通信可能に形成された通信装置４０Ａと、を備えている。尚、ポンプ装置１０は、給水装置１で地下に配置されているポンプ装置１０を、地上に配置させたものであって、その構成は同一のもので説明する。
【００５９】
通信装置４０Ａは、例えば作業者が持ち運び可能な、フラッシュメモリで形成されたＵＳＢフラッシュメモリが用いられる。なお、フラッシュメモリだけではなく、例えばノートＰＣ（パーソナルコンピュータ）、ハードディスクドライブ、携帯電話、ＰＨＳ（Public Health Service）、又は、ハンディターミナル（携帯端末）等を用いてもよい。この他、持ち運びが可能なものであればよい。
【００６０】
通信装置４０Ａは、その内部に、予め作業者が記憶させた制御設定値や制御プログラム等のデータと、これらのデータを制御部２５に送信するプログラム（データ送信プログラム）とが格納（記憶）されている。なお、制御部２５に送信するプログラムを格納せずに、制御部２５により、データを読み取るものとしてもよい。即ち、制御部２５と通信装置４０Ａとが通信機能を有し、制御部２５又は通信装置４０Ａのいずれか一方に、通信装置４０ＡがＵＳＢＩ／Ｆ２８に接続されたことを確認して、通信装置４０Ａ内のデータを読み取る機能を有していれば良い。
【００６１】
また、この通信装置４０Ａは、ＵＳＢフラッシュメモリとして説明したが、ノートＰＣや携帯電話等を用いる場合には、通信装置４０Ａに、ＣＰＵ４１等の制御部（演算装置）を有する構成としてもよい。
【００６２】
また、通信装置４０Ａは、ＵＳＢ端子４９を有しており、ＵＳＢＩ／Ｆ２８のＵＳＢポート２８ａに接続可能に形成されている。尚、ＵＳＢ端子４９は、例えばＵＳＢ２．０規格に適用したものであって、Ａ端子により形成されている。このときのＵＳＢポート２８ａはＡポート、即ち、ＵＳＢ端子４９が接続可能なポートに形成されている。
【００６３】
このように構成された給水装置１Ｂでは、上述した給水装置１と同様に、通常運転時においては、インバータ２６によりモータ１６が制御され、給水口Ｔに給水されることとなる。次に、制御設定値の変更、及び、制御プログラム等のデータ通信について説明する。
【００６４】
図４に示すように、作業者Ｈは、通信装置４０Ａを持ちながら、各ポンプ装置１０が設けられた個所を巡回する。制御盤１２の表示部２７からは、ポンプ装置１０の運転における、検出結果及び制御設定値が表示される。作業者Ｈは、この表示部２７を確認し、制御設定値又は制御プログラムの変更が必要な場合には、作業者Ｈは、通信装置４０ＡのＵＳＢ端子４９を、ＵＳＢポート２８ａに接続する。
【００６５】
ＵＳＢＩ／Ｆ２８は、プラグアンドプレイ機能を有するため、ＵＳＢポート２８ａにＵＳＢ端子４９が接続されることで、制御部２５はＵＳＢポート２８ａが接続されたことを認識する。制御部２５は、ＵＳＢ端子４９が接続されたことを認識すると、通信装置４０Ａに格納されたデータ送信プログラムを起動し、制御部２５にて通信装置４０Ａに記憶されたデータを受信（ＤＬ）し、制御部２５にこのデータを記憶する。
【００６６】
制御部２５は、通信装置４０Ａから受信したデータを予め記憶していたデータ（制御設定値又は制御プログラム）を削除又は上書きすることで、データを書換えることとなる。制御部２５は、このように書換えられたデータに基いて、インバータ２６に指示を行う。
【００６７】
このように本発明の給水装置１Ｂによれば、上述した給水装置１の効果を有するとともに、さらに、通信装置４０Ａを容易に持ち運ぶことが可能となるため、作業性が向上する。さらに、複数のポンプ装置１０を作業者Ｈが巡回する場合には、各ポンプ装置１０のＵＳＢポート２８ａに通信装置４０Ａを接続するだけで、ポンプ装置１０の制御設定値を変更可能となり、作業性の向上及び作業時間の短縮になる。
【００６８】
なお、同一のポンプ装置１０の場合には、同一の制御プログラム及び制御設定値等のデータを用いればよい。また、異なるデータを送信したい場合や、各ポンプ装置１０の性能等が異なる場合には、データ送信プログラム及び各ポンプ装置１０に識別データ（識別番号）を付して、各識別データのポンプ装置１０に対応するデータを送信するようにしてもよい。このようにすることで、複数台のポンプ装置１０の制御設定値を変更する際であっても、作業者Ｈは一人で、一つの通信装置４０Ａを携帯して巡回するだけでよく、作業時間の大幅な短縮となる。さらに、各ポンプ装置１０に識別番号を設けることで、各ポンプ装置１０それぞれに異なる設定変更値を設定することも可能となる。
【００６９】
なお、本発明は前記実施の形態に限定されるものではない。例えば、上述した給水装置１は、ポンプ装置１０と通信装置４０とをＵＳＢケーブルＲにて接続する構成を説明したが、さらに通信装置４０をインターネット回線に接続し、インターネット回線に接続されたサーバ等と接続する構成の給水システムとしてもよい。
【００７０】
このように、給水システムとして、サーバと通信装置４０とを接続することで、インターネット回線に接続可能であれば、サーバと複数台の通信装置４０とが接続可能となる。このような構成とすることで、サーバからの制御設定値や制御プログラム等の各種データを、インターネット回線を経由して通信装置４０に送信し、このデータを通信装置４０がＵＳＢケーブルＲを介して制御盤１２に送信することが可能となる。このため、サーバにより、全ての給水装置を管理することが可能となる。また、大量データであっても、例えば光回線や、高速ネット回線等の大容量のデータ転送可能な回線を経由させることで、サーバから制御盤１２までのデータの転送が高速にて行なうことが可能となる。また、給水装置１からサーバへデータ（情報）を転送し、サーバにて給水装置１の運転状況等の状況を確認することが可能な構成としてもよい。
【００７１】
また、上述した給水装置１、１Ａでは、ポンプ装置１０、１０Ａは、ポンプユニット１１、１１Ａが１系統若しくは２系統としたが、これに限定されるものではなく、各使用状況において適宜ポンプユニット１１、１１Ａの数を変更可能となっている。この他、本発明の要旨を逸脱しない範囲で種々変形実施可能である。
【図面の簡単な説明】
【００７２】
【図１】本発明の第１の実施の形態に係る給水装置の構成を示す説明図。
【図２】同給水装置に用いられるポンプ装置及び通信装置の構成を示す説明図。
【図３】本発明の変形例に係る給水装置の構成を示す説明図である。
【図４】本発明の第２の実施の形態に係る給水装置の構成を示す説明図。
【符号の説明】
【００７３】
１，１Ａ…給水装置、５…接続管、６…給水配管、７…分岐部、８ａ…一方の配管、８ｂ…他方の配管、９…合流部、１０、１０Ａ…ポンプ装置、１１…ポンプユニット、１２…制御盤（制御回路部）、１３…ポンプ室、１６…モータ、１７…回転軸、１８…ポンプ、１９…流量検出器、２０…逆止弁、２１…圧力検出器、２２…アキュムレータ、２５…制御部、２６…インバータ、２７…表示部、２８…ＵＳＢＩ／Ｆ、２８ａ…ＵＳＢポート、２９…入力部、４０、４０Ａ…通信装置、４１…ＣＰＵ、４２…ＲＯＭ、４３…ＲＡＭ、４４…ＨＤＤ、４５…表示部、４６…入力部、４７…ＵＳＢＩ／Ｆ、４７ａ…ＵＳＢポート、４８…バスライン、１００…インターネット回線、１０１…サーバ、Ｅ…地面、Ｇ…建造物、Ｈ…作業者、Ｉ…受水槽、Ｒ…ＵＳＢケーブル、Ｔ…給水口、Ｓ…信号線。
【図１】
2009144621.tif 000003
【図２】
2009144621.tif 000004
【図３】
2009144621.tif 000005
【図４】
2009144621.tif 000006